(57)【特許請求の範囲】
【請求項１】
ハンガーレールに多数のランナーを移動可能に支持し、前記各ランナーからスラットを吊下支持し、操作装置の操作により前記各ランナーを移動させて、前記スラットを前記ハンガーレールに沿って引き出し及び畳み込み可能とした縦型ブラインドにおいて、
隣合う複数枚の前記スラットを１グループとして各スラットを複数のグループに分割し、前記各スラットを各グループ毎の中間のスラットに向かって畳み込むことにより、各スラットを各グループ毎に集合させて、各グループ間を開放可能としたことを特徴とする縦型ブラインドのスラット駆動装置。
【請求項２】
各グループのスラットを、同時に並行して畳み込み可能としたことを特徴とする請求項１記載の縦型ブラインドのスラット駆動装置。
【請求項３】
ハンガーレールに多数のランナーを移動可能に支持し、前記各ランナーからスラットを吊下支持し、操作装置の操作により前記各ランナーを移動させて、前記スラットを前記ハンガーレールに沿って引き出し及び畳み込み可能とした縦型ブラインドにおいて、
隣合う複数枚の前記スラットを１グループとして各スラットを複数のグループに分割し、前記各グループのスラットを支持するランナーのうち、先頭に位置するピッチ先頭ランナーをスラット畳み込み方向に移動させて、前記各スラットを各グループ毎の最後尾のスラットに向かって畳み込むことにより、各スラットを各グループ毎に集合させて、各グループ間を開放可能とし、
前記各グループのスラットを支持するランナーのうち、最後尾に位置するピッチエンドランナーには、前記ピッチ先頭ランナーの移動にともなう該ピッチエンドランナーのスラット畳み込み方向への移動を阻止する阻止手段を設けたことを特徴とする縦型ブラインドのスラット駆動装置。
【請求項４】
前記ピッチ先頭ランナーをピッチ駆動コードで接続し、該ピッチ駆動コードを操作して、ピッチ先頭ランナーをスラット畳み込み方向に移動可能としたことを特徴とする請求項３記載の縦型ブラインドのスラット駆動装置。
【請求項５】
前記阻止手段は、
前記各グループのピッチエンドランナーを接続するピッチエンドコードと、
前記ピッチエンドコードの端部に接続された吸着ランナーと、
前記ハンガーレールの端部に対し、前記吸着ランナーを前記ピッチ先頭ランナーの移動にともなう引張力では離脱不能に吸着させることと
から構成したことを特徴とする請求項３又は４に記載の縦型ブラインドのスラット駆動装置。
【請求項６】
ハンガーレールに多数のランナーを移動可能に支持し、前記各ランナーからスラットを吊下支持し、操作コードの操作により前記各ランナーを移動させて、前記スラットを前記ハンガーレールに沿って引き出し及び畳み込み可能とした縦型ブラインドにおいて、
隣合う複数枚の前記スラットを１グループとして各スラットを複数のグループに分割し、前記各グループのスラットを支持するランナーのうち、先頭に位置するピッチ先頭ランナーをピッチ駆動コードで接続し、該ピッチ駆動コードを操作して、ピッチ先頭ランナーをスラット畳み込み方向に移動させて、各スラットを各グループ毎に集合するように移動させることにより、各グループ間を開放可能とし、
前記スラットを吊下支持する前記多数のランナーのうち、最も先頭に位置する先頭ランナーを操作コードに接続し、該操作コードを操作して、前記先頭ランナーをスラット畳み込み方向に移動させて、各スラットを前記ハンガーレールに沿って畳み込み可能としたことを特徴とする縦型ブラインドのスラット駆動装置。
【請求項７】
前記各スラットを各グループ毎の最後尾のスラットに向かって畳み込むことにより、各スラットを各グループ毎に集合させて、各グループ間を開放可能としたことを特徴とする請求項６記載の縦型ブラインドのスラット駆動装置。
【請求項８】
各グループのスラットを、同時に並行して畳み込み可能としたことを特徴とする請求項６又は７に記載の縦型ブラインドのスラット駆動装置。
【請求項９】
前記各グループのスラットを支持するランナーのうち、最後尾に位置するピッチエンドランナーには、前記ピッチ先頭ランナーの移動にともなう該ピッチエンドランナーのスラット畳み込み方向への移動を阻止する阻止手段を設けたことを特徴とする請求項６又は８に記載の縦型ブラインドのスラット駆動装置。
【請求項１０】
前記阻止手段は、
前記各グループのピッチエンドランナーを接続するピッチエンドコードと、
前記ピッチエンドコードの端部に接続された吸着ランナーと、
前記ハンガーレールの端部に対し、前記吸着ランナーを前記ピッチ先頭ランナーの移動にともなう引張力では離脱不能に吸着させることと
から構成したことを特徴とする請求項９記載の縦型ブラインドのスラット駆動装置。
【発明の詳細な説明】
【０００１】
【発明の属する技術分野】
この発明は、ハンガーレールから吊下支持されるスラットをハンガーレールに沿って畳み込み、あるいは回動させることにより、採光量の調節を行う縦型ブラインドに関するものである。
【０００２】
【従来の技術】
縦型ブラインドは、ハンガーレールに多数のスラットが移動可能に支持され、同ハンガーレールの一端部に設けられた操作手段の操作により、各スラットをハンガーレールに沿って引き出し、あるいは畳み込み可能となっている。また、操作手段の操作により各スラットを回動させて、窓面からの採光量を微調整可能となっている。
【０００３】
このような縦型ブラインドでは、スラットの引き出し操作を行うと、ハンガーレール内において先頭ランナーがスラット引き出し方向に移動し、その先頭ランナーの移動にともなって、後続のランナーが等間隔を隔てて引き出される。従って、各ランナーに吊下支持されたスラットが等間隔を隔てて引き出される。
【０００４】
また、スラットの畳み込み操作を行うと、ハンガーレール内において先頭ランナーがスラット畳み込み方向に移動し、その先頭ランナーの移動にともなって、後続のランナーが順次押し戻される。従って、各ランナーに吊下支持されたスラットが順次押し戻される。
【０００５】
【発明が解決しようとする課題】
上記のような縦型ブラインドでは、スラットを最大限まで引き出した状態から、特定のスラットの間隔を大きくして、窓面を部分的に開放するというような操作を行うことはできない。
【０００６】
特に、スラットの畳み込み側の窓面のみを部分的に開放したい場合にも、全スラットを畳み込んで、窓面を全開状態とする必要があり、その操作が煩雑であるという問題点がある。
【０００７】
この発明の目的は、窓面に沿って引き出されたスラットをグループ毎に畳み込み可能として、スラット間を部分的に開放し得る縦型ブラインドのスラット駆動装置を提供することにある。
【０００８】
【課題を解決するための手段】
請求項１では、ハンガーレールに多数のランナーを移動可能に支持し、前記各ランナーからスラットを吊下支持し、操作装置の操作により前記各ランナーを移動させて、前記スラットを前記ハンガーレールに沿って引き出し及び畳み込み可能とした縦型ブラインドにおいて、隣合う複数枚の前記スラットを１グループとして各スラットを複数のグループに分割し、前記各スラットを各グループ毎の中間のスラットに向かって畳み込むことにより、各スラットを各グループ毎に集合させて、各グループ間を開放可能とした。
【０００９】
請求項２では、各グループのスラットを、同時に並行して畳み込み可能とした。
【００１０】
請求項３では、ハンガーレールに多数のランナーを移動可能に支持し、前記各ランナーからスラットを吊下支持し、操作装置の操作により前記各ランナーを移動させて、前記スラットを前記ハンガーレールに沿って引き出し及び畳み込み可能とした縦型ブラインドにおいて、隣合う複数枚の前記スラットを１グループとして各スラットを複数のグループに分割し、前記各グループのスラットを支持するランナーのうち、先頭に位置するピッチ先頭ランナーをスラット畳み込み方向に移動させて、前記各スラットを各グループ毎の最後尾のスラットに向かって畳み込むことにより、各スラットを各グループ毎に集合させて、各グループ間を開放可能とし、前記各グループのスラットを支持するランナーのうち、最後尾に位置するピッチエンドランナーには、前記ピッチ先頭ランナーの移動にともなう該ピッチエンドランナーのスラット畳み込み方向への移動を阻止する阻止手段を設けた。
【００１１】
請求項４では、前記ピッチ先頭ランナーをピッチ駆動コードで接続し、該ピッチ駆動コードを操作して、ピッチ先頭ランナーをスラット畳み込み方向に移動可能とした。
請求項５では、前記阻止手段は、前記各グループのピッチエンドランナーを接続するピッチエンドコードと、前記ピッチエンドコードの端部に接続された吸着ランナーと、前記ハンガーレールの端部に対し、前記吸着ランナーを前記ピッチ先頭ランナーの移動にともなう引張力では離脱不能に吸着させることとから構成した。
【００１２】
請求項６では、ハンガーレールに多数のランナーを移動可能に支持し、前記各ランナーからスラットを吊下支持し、操作コードの操作により前記各ランナーを移動させて、前記スラットを前記ハンガーレールに沿って引き出し及び畳み込み可能とした縦型ブラインドにおいて、隣合う複数枚の前記スラットを１グループとして各スラットを複数のグループに分割し、前記各グループのスラットを支持するランナーのうち、先頭に位置するピッチ先頭ランナーをピッチ駆動コードで接続し、該ピッチ駆動コードを操作して、ピッチ先頭ランナーをスラット畳み込み方向に移動させて、各スラットを各グループ毎に集合するように移動させることにより、各グループ間を開放可能とし、前記スラットを吊下支持する前記多数のランナーのうち、最も先頭に位置する先頭ランナーを操作コードに接続し、該操作コードを操作して、前記先頭ランナーをスラット畳み込み方向に移動させて、各スラットを前記ハンガーレールに沿って畳み込み可能とした。
【００１３】
請求項７では、前記各スラットを各グループ毎の最後尾のスラットに向かって畳み込むことにより、各スラットを各グループ毎に集合させて、各グループ間を開放可能とした。
【００１４】
請求項８では、各グループのスラットを、同時に並行して畳み込み可能とした。
請求項９では、前記各グループのスラットを支持するランナーのうち、最後尾に位置するピッチエンドランナーには、前記ピッチ先頭ランナーの移動にともなう該ピッチエンドランナーのスラット畳み込み方向への移動を阻止する阻止手段を設けた。
請求項１０では、前記阻止手段は、前記各グループのピッチエンドランナーを接続するピッチエンドコードと、前記ピッチエンドコードの端部に接続された吸着ランナーと、前記ハンガーレールの端部に対し、前記吸着ランナーを前記ピッチ先頭ランナーの移動にともなう引張力では離脱不能に吸着させることとから構成した。
【００１５】
【発明の実施の形態】
（第一の実施の形態）
以下、この発明を具体化した第一の実施の形態を図面に従って説明する。図１に示す縦型ブラインドは、ハンガーレール１内に多数のランナー２が移動可能に支持され、そのランナー２からそれぞれスラット３が回動可能に吊下支持されている。
【００１６】
前記ハンガーレール１の一端には、チルトポール４が吊下支持され、そのチルトポール４の回転操作により、ハンガーレール１内に配設されるスラット角度調節軸が回転される。
【００１７】
そして、スラット角度調節軸が回転されると、各ランナー内に配設されたギヤ機構を介して、各スラットが同位相で回動されるようになっている。
前記チルトポール４の近傍には、無端状の操作コード５が垂下されている。この操作コード５は、前記ハンガーレール１内において、その全長にわたって移動可能に張設されるとともに、図２（ａ）に示す先頭ランナー２ａに接続されている。
【００１８】
従って、操作コード５の操作により先頭ランナー２ａがハンガーレール１内を移動するようになっている。
前記操作コード５の近傍には、ピッチ駆動コード６の一端が垂下されている。そのピッチ駆動コード６は、ハンガーレール１内に案内され、図２（ａ）に示すように、他端は前記先頭ランナー２ａに接続されている。
【００１９】
また、前記ピッチ駆動コード６は、前後に連なる４個ずつのランナー２を１グループとした状態で、各グループの先頭に位置するピッチ先頭ランナー２ｂに接続されている。
【００２０】
前記各グループのランナーのうち、最後尾に位置するピッチエンドランナー２ｃには、ピッチエンドコード７が接続され、そのピッチエンドコード７の一端は、前記先頭ランナー２ａより先行する位置で、ハンガーレール１に移動可能に支持されたマグネットランナー８に接続されている。
【００２１】
前記マグネットランナー８は、前記先頭ランナー２ａがスラット引き出し方向（図２（ａ）に示す矢印Ａ方向）に移動するとき、同ランナー２ａに押されて同方向へ移動する。そして、先頭ランナー２ａがハンガーレール１の他端部まで移動すると、マグネットランナー８はハンガーレール１の他端に取着されているマグネット受け９に吸着するようになっている。
【００２２】
また、先頭ランナー２ａがハンガーレール１の他端部からスラット畳み込み方向（図２（ａ）に示す矢印Ｂ方向）に移動するとき、マグネットランナー８はマグネット受け９に吸着した状態に保持されるようになっている。
【００２３】
前記各グループ毎のランナー２は、前後に隣合うランナーがスペーサ１０で接続されて、その最大間隔が所定の等間隔となるように設定されている。
そして、先頭ランナー２ａがハンガーレール１の他端部まで引き出されたとき、各グループのピッチ先頭ランナー２ｂがピッチ駆動コードにより引き出され、各グループのピッチ先頭ランナー２ｂの後続のランナー２，２ｃは、スペーサ１０により等間隔を隔てた状態で引き出される。
【００２４】
このとき、各スラット３がハンガーレール１から等間隔に吊下支持されるように、ピッチ駆動コード６にピッチ先頭ランナー２ｂが接続されている。また、マグネットランナー８がマグネット受け９に吸着して、各ランナー２，２ｂ，２ｃが等間隔に位置している状態では、マグネットランナー８とピッチエンドランナー２ｃ間及び各ピッチエンドランナー２ｃ間のピッチエンドコード７がほぼ緊張されるようになっている。
【００２５】
前記各スラット３の下端部は、同一グループの４枚ずつのスラット３がボトムコード１１で接続されている。
次に、上記のように構成された縦型ブラインドの動作を説明する。
【００２６】
スラット３がハンガーレール１の一端側に畳み込まれている状態から、操作コード５をスラット引き出し方向に操作すると、先頭ランナー２ａがハンガーレール１の他端に向かって矢印Ａ方向に移動する。
【００２７】
すると、ピッチ駆動コード６が引き出され、そのピッチ駆動コード６により各グループの、ピッチ先頭ランナー２ｂが引き出される。そして、各ピッチ先頭ランナー２ｂが引き出されると、各グループのランナー２，２ｃがスペーサ１０により、順次等間隔に引き出される。
【００２８】
先頭ランナー２ａがマグネットランナー８を押しながらハンガーレール１の他端まで移動すると、マグネットランナー８がマグネット受け９に吸着する。このとき、ハンガーレール１の全長にわたって各ランナー２ａ，２，２ｃが等間隔に引き出され、スラット３が等間隔に吊下支持された状態となる。
【００２９】
この状態で、チルトポール４を回転操作すると、各スラット３が同位相で回動され、各スラット３の角度を調節することにより、採光量を調節可能である。
この状態から、操作コード５近傍に垂下されたピッチ駆動コード６を下方へ引くと、ハンガーレール１内でピッチ駆動コード６が矢印Ｂ方向へ移動する。
【００３０】
すると、先頭ランナー２ａ及び各グループのピッチ先頭ランナー２ｂが同方向へ移動し、後続のランナー２が順次押し戻される。そして、ピッチ先頭ランナー２ｂ及び同ピッチ先頭ランナー２ｂで押し戻されたランナー２が当該グループのピッチエンドランナー２ｃに当接するまで移動すると、図３に示すように、各グループのランナーが等間隔を隔てて集合した状態となる。
【００３１】
この状態では、図４に示すように、４枚ずつの各グループのスラット３が重なり合う状態となり、各グループ間には空間が形成される。
このようなピッチ駆動コード６の操作時に、スペーサ１０を介してピッチエンドランナー２ｃに矢印Ｂ方向への力が作用するが、マグネット受け９に吸着するマグネットランナー８によりピッチエンドコード７の同方向への移動が阻止されているので、ピッチエンドランナー２ｃの同方向への移動が阻止される。
【００３２】
この状態から、操作コード５をスラット畳み込み方向に操作すると、先頭ランナー２ａが矢印Ｂ方向に移動され、各グループのランナー２，２ｂ，２ｃは順次同方向へ押し戻され、ハンガーレール１の一端側へ畳み込まれる。
【００３３】
このとき、矢印Ｂ方向に移動するピッチエンドランナー２ｃにより、ピッチエンドコード７を介してマグネットランナー８がマグネット受け９から引き離され、各ランナーに追随してハンガーレール１内を移動する。
【００３４】
上記のように構成された縦型ブラインドでは、次に示す作用効果を得ることができる。
（１）操作コード５の操作により、スラット３の引き出し操作及び畳み込み操作を行うことができる。
【００３５】
（２）チルトポール４の操作により、各スラット３を同位相で角度調節することができる。
（３）ピッチ駆動コード６の操作により、各グループの先頭ランナー２ａ若しくはピッチ先頭ランナー２ｂを同時に矢印Ｂ方向に移動させて、４枚ずつのスラット３をグループ毎に集合した状態に畳み込むことができる。
【００３６】
（４）４枚ずつのスラット３をグループ毎に集合した状態に畳み込むことができるので、各グループ間を開放して採光することができるとともに、窓外の景観を眺めることもできる。
【００３７】
（５）各グループ間のスラット３はボトムコード１１で接続されていないので、各グループ間を居住者が通り抜けることも容易である。
（６）スラット３の畳み込み側の窓面を、部分的に開放することも容易である。
（第二の実施の形態）
図５及び図６は、第二の実施の形態を示す。この実施の形態は、ピッチ駆動コード６の操作に基づいて、各グループのランナーを各グループの中央に位置するランナーに向かって畳み込むようにしたものである。
【００３８】
すなわち、ピッチ駆動コード６は無端状に形成されるとともに、その一端縁は先頭ランナー２ａに回転可能に支持された滑車１２に掛装され、他端縁はハンガーレール１の一端から垂下されるとともに、その無端縁にウェイト１３が吊下支持されている。
【００３９】
前記ハンガーレール１内で平行に張設されるピッチ駆動コード６は、その一方がピッチ先頭ランナー２ｂに接続され、他方がピッチエンドランナー２ｃに接続されている。各グループを構成するランナーは、ピッチ先頭ランナー２ｂと、ピッチエンドランナー２ｃと、その中間に位置するランナー２とで構成される。
【００４０】
前記先頭ランナー２ａは、ハンガーレール１内に張設される無端状の操作コード５に接続されるとともに、マグネット１４が取着され、ハンガーレール１の他端部に取着されたマグネット受け９に吸着可能となっている。
【００４１】
各ランナー２，２ａ，２ｂ，２ｃに吊下支持されたスラットは、前記実施の形態と同様にチルトポール４の操作により回動可能であり、各グループ毎のスラットがボトムコードで接続される。
【００４２】
このように構成された縦型ブラインドでは、操作コード５を操作して先頭ランナー２ａを引き出すと、ピッチ駆動コード６が引き出されて、各ランナー２，２ｂ，２ｃが順次引き出される。このとき、各ランナー２．２ｂ，２ｃの間隔は、スペーサ１０で設定される間隔を最大間隔として任意の間隔で引き出される。
【００４３】
先頭ランナー２ａがマグネット受け９に吸着するまで引き出した後、ピッチ駆動コード６を矢印Ｃ方向に引くと、各グループのランナーのうち、ピッチ先頭ランナー２ｂは後続のランナー２に向かって移動し、ピッチエンドランナー２ｃは先行するランナー２に向かって移動し、やがて図６に示す状態となる。
【００４４】
また、図６に示す状態から、ピッチ駆動コード６を矢印Ｄ方向へ引くと、ピッチ先頭ランナー２ｂ及びピッチエンドランナー２ｃが中間のランナー２から離れる方向に移動し、スペーサ１０で設定された間隔までランナー２から離れて、図５に示す状態となる。
【００４５】
上記のように構成された縦型ブラインドでは、前記実施の形態で得られた（１）（２）（５）（６）の作用効果に加えて、次に示す作用効果を得ることができる。
【００４６】
（１）ピッチ駆動コード６の操作により、各グループのピッチ先頭ランナー２ｂ及びピッチエンドランナー２ｃを中間のランナー２に向かって同時に移動させて、３枚ずつのスラット３をグループ毎に集合した状態に畳み込むことができる。
【００４７】
（２）３枚ずつのスラット３をグループ毎に集合した状態に畳み込むことができるので、各グループ間を開放して採光することができるとともに、窓外の景観を眺めることもできる。
【００４８】
上記実施の形態は、次に示すように変更することもできる。
・第一の実施の形態において、ピッチ駆動コード６で畳み込まれる１グループのスラット３は２枚以上であればよい。
・第一の実施の形態において、ピッチ駆動コード６を無端状として、ハンガーレール１内で往復動作可能とすることにより、ピッチ駆動コード６の操作により、各ピッチ先頭ランナー２ｂの引き出し操作及び畳み込み操作を可能としてもよい。
・第一の実施の形態において、ピッチ先頭ランナー２ｂの畳み込み操作時に、ピッチエンドランナー２ｃに畳み込み方向の力が作用しなければ、ピッチエンドコード７を省略してもよい。
・第一の実施の形態のマグネットランナー８及び第二の実施の形態のマグネット１４は、マグネット以外の任意の吸着手段としてもよい。
・第一の実施の形態において、ピッチ先頭ランナー２ｂを移動させる手段は、ピッチ駆動コード６以外の任意の手段としてもよい。
【００４９】
【発明の効果】
以上詳述したように、この発明は窓面に沿って引き出されたスラットをグループ毎に畳み込み可能として、スラット間を部分的に開放し得る縦型ブラインドのスラット駆動装置を提供することができる。
【図面の簡単な説明】
【図１】第一の実施の形態の縦型ブラインドを示す正面図である。
【図２】第一の実施の形態のランナーの接続構造を示す正面図である。
【図３】第一の実施の形態のランナーの動作を示す正面図である。
【図４】第一の実施の形態の縦型ブラインドの動作を示す正面図である。
【図５】第二の実施の形態のランナーの接続構造を示す説明図である。
【図６】第二の実施の形態のランナーの動作を示す説明図である。
【符号の説明】
１            ハンガーレール
２            ランナー
３            スラット
５            操作装置（操作コード）
【図１】
0003545649.tif 000002
【図２】
0003545649.tif 000003
【図３】
0003545649.tif 000004
【図４】
0003545649.tif 000005
【図５】
0003545649.tif 000006
【図６】
0003545649.tif 000007